(57)【特許請求の範囲】
【請求項１】
ホルダ−に取付けられたカミソリヘッドがその横方向に延びる揺動軸線を中心に揺動可能であり、カミソリヘッドを前傾する方向へ揺動するように該カミソリヘッドを弾性的に押圧する手段がカミソリヘッドの前記揺動軸線よりも後方の部分とホルダ−との間に介在し、且つカミソリヘッドが前傾するように揺動することを一定の揺動角の位置で規制する手段を備えており、カミソリヘッドを前傾する方向へ揺動するように弾性的に押圧する手段は２つ存在し、該２つの手段はカミソリヘッドの２ヵ所の部分に作用する安全カミソリであって、カミソリヘッドを取付けるための結合手段がホルダ−の上端に横方向に間隔を置いて２つ存在し、カミソリヘッドを前傾する方向へ揺動するように弾性的に押圧する２つの手段は前記結合手段よりも横方向外側に設けられていることを特徴とする安全カミソリ。
【請求項２】
カミソリヘッドを前傾する方向へ揺動するように弾性的に押圧する手段は、ホルダ−の背面上部から上方に延び且つ前傾している弾性片である請求項１記載の安全カミソリ。
【請求項３】
ホルダ−に取付けられたカミソリヘッドがその横方向に延びる揺動軸線を中心に揺動可能であり、カミソリヘッドを前傾する方向へ揺動するように該カミソリヘッドを弾性的に押圧する手段がカミソリヘッドの前記揺動軸線よりも後方の部分とホルダ−との間に介在し、且つカミソリヘッドが前傾するように揺動することを一定の揺動角の位置で規制する手段を備えている安全カミソリであって、前記カミソリヘッドを前傾する方向へ揺動するように弾性的に押圧する手段は、ホルダ−の背面上部から上方に延び且つ前傾している弾性片であることを特徴とする安全カミソリ。
【請求項４】
カミソリヘッドは交換可能にホルダ−に取付けられる請求項１乃至請求項３のいずれか一項記載の安全カミソリ
【請求項５】
カミソリヘッドはホルダ−から離脱できないように取付けられている請求項１乃至請求項３のいずれか一項記載の安全カミソリ
【発明の詳細な説明】
【０００１】
【発明の属する技術分野】
本発明は、ホルダ−に取付けられたカミソリヘッドが横方向に延びる揺動軸線を中心に揺動可能な、いわゆる首振り式安全カミソリに関する。
【０００２】
【従来の技術】
従来の首振り式安全カミソリは、例えば特公平７−２０５１２公報に示されたように、ハンドルの上端に取付けられたア−ムの先端に内向きのジャ−ナルア−ムが設けられ、このジャ−ナルア−ムと替刃カ−トリッジのジャ−ナル軸受をジャ−ナル結合することにより替刃カ−トリッジを揺動可能にハンドルに取付けていた。そして、ハンドルの上端から延びるプッシャ−を替刃カ−トリッジ底面の三角形状カム面に圧接することによって、揺動した替刃カ−トリッジを元の位置に自動的に復帰するように構成していた。
【０００３】
【発明が解決しようとする課題】
従来の首振り式安全カミソリの構成は上述の通りであったから、公報の図面で明らかなように部品数が非常に多く構成が複雑であってコストが高くならざるを得なかった。
【０００４】
また、上記した従来の安全カミソリは、プッシャ−からの弾性力をそのまま直接的に替刃カ−トリッジに伝えて揺動した替刃カ−トリッジを元の位置に復帰させる構造ではなく、プッシャ−からの垂直な押圧力の分力を替刃カ−トリッジのカム面に作用させることによって、替刃カ−トリッジにモ−メントを与えて元の位置に復帰させようとする構成である。すなわち、従来の安全カミソリは、カムという伝達機構を介在させてプッシャ−からの力を替刃カ−トリッジに作用するモ−メントに変換しているのである。したがって、カム機構を介在させることによってプッシャ−から替刃カ−トリッジへの力の伝達が円滑でなく、力のロスもあるので、安全カミソリの使用中における替刃カ−トリッジの揺動が十分に円滑であるとは言えなかった。
【０００５】
そこで本発明は、構造が複雑でなく且つ安全カミソリの使用中に替刃カ−トリッジが円滑に揺動するものを提供しようとするものである。
【０００６】
【課題を解決するための手段】
請求項１記載の発明は、ホルダ−に取付けられたカミソリヘッドがその横方向に延びる揺動軸線を中心に揺動可能であり、カミソリヘッドを前傾する方向へ揺動するように該カミソリヘッドを弾性的に押圧する手段がカミソリヘッドの前記揺動軸線よりも後方の部分とホルダ−との間に介在し、且つカミソリヘッドが前傾するように揺動することを一定の揺動角の位置で規制する手段を備えており、カミソリヘッドを前傾する方向へ揺動するように弾性的に押圧する手段は２つ存在し、この２つの手段はカミソリヘッドの２ヵ所の部分に作用する安全カミソリであって、カミソリヘッドを取付けるための結合手段がホルダ−の上端に横方向に間隔を置いて２つ存在し、カミソリヘッドを前傾する方向へ揺動するように弾性的に押圧する２つの手段は前記結合手段よりも横方向外側に設けられている構成である。
【０００７】
請求項２は、カミソリヘッドを前傾する方向へ揺動するように弾性的に押圧する手段が、ホルダ−の背面上部から上方に延び且つ前傾している弾性片である構成である。
【０００８】
請求項３は、ホルダ−に取付けられたカミソリヘッドがその横方向に延びる揺動軸線を中心に揺動可能であり、カミソリヘッドを前傾する方向へ揺動するように該カミソリヘッドを弾性的に押圧する手段がカミソリヘッドの前記揺動軸線よりも後方の部分とホルダ−との間に介在し、且つカミソリヘッドが前傾するように揺動することを一定の揺動角の位置で規制する手段を備えている安全カミソリであって、前記カミソリヘッドを前傾する方向へ揺動するように弾性的に押圧する手段は、ホルダ−の背面上部から上方に延び且つ前傾している弾性片である構成である。
【０００９】
【発明の効果】
本発明は以上のような構成であって、請求項１は、カミソリヘッドを前傾する方向へ揺動するように弾性的に押圧する手段は２つ存在し、この２つの手段はカミソリヘッドの２ヵ所の部分に作用する安全カミソリであって、カミソリヘッドを取付けるための結合手段がホルダ−の上端に横方向に間隔を置いて２つ存在し、カミソリヘッドを前傾する方向へ揺動するように弾性的に押圧する２つの手段は前記結合手段よりも横方向外側に設けられている。すなわち、カミソリヘッドを弾性的に押圧する力は当初からカミソリヘッドの揺動軸線よりも後方の部分に作用しているのである。したがって、カムのような力の伝達機構を用いることなく、弾性的に押圧する力を直接カミソリヘッドに作用させることによって、揺動したカミソリヘッドを元の位置に復帰させることができる。これによって、力の伝わり方が直接的であってスム−スであり、力のロスも少ないので使用中におけるカミソリヘッドの揺動が非常に円滑であるという効果を奏する。また、カミソリヘッドを前傾する方向へ揺動するように弾性的に押圧する２つの手段が、カミソリヘッドとホルダ−の結合手段よりも横方向外側に設けられている。したがって、押圧手段によるカミソリヘッドの押圧状態が安定的となって、カミソリヘッドの揺動以外の無駄な揺れが生じることを防止できる。
【００１０】
請求項２は、カミソリヘッドを前傾する方向へ揺動するように弾性的に押圧する手段が、ホルダ−の背面上部から上方に延び且つ前傾している弾性片である。したがって、弾性的に押圧する手段が、ホルダ−から延びる弾性片であるので、構造が非常に簡便である。また、弾性的に押圧する手段が２ヵ所あるので、カミソリヘッドを安定的に押圧するから更にカミソリヘッドの揺動を円滑にすることができる。
【００１１】
請求項３は、カミソリヘッドを前傾する方向へ揺動するように弾性的に押圧する手段が、ホルダ−の背面上部から上方に延び且つ前傾している弾性片である。弾性片が前傾しているので、カミソリヘッドから力を受けたときに弾性片は全体的にたわんで、その反力が直接的にカミソリヘッドに作用してモ−メントを与える。したがって、力のロスがなく、カミソリヘッドの揺動を非常に円滑にすることができる。
【００１２】
【発明の実施の形態】
次に本発明の実施の形態を図面に従って説明する。ホルダ−１はプラスチックで形成され、上端の両側に一対の頭部２，２を有している。頭部２，２の背面の両端付近から上方に弾性片７，７が一体に延び、その弾性片７，７は頭部２，２の背面に対してやや前傾している。
【００１３】
両頭部２，２の内側面には、頭部２，２よりも上方に延びるア−ム３，３が一体に設けられている。ア−ム３，３はカミソリヘッド４を保持するために設けられたものであって、ア−ム３，３の上端に内向きのジャ−ナル軸５，５が一体に設けられている。カミソリヘッド４の底面にはジャ−ナル軸受（図示せず。）が設けられており、ジャ−ナル軸５，５がジャ−ナル結合することによって、カミソリヘッド４は揺動可能にホルダ−１に結合される。ジャ−ナル軸５，５の中心を通る線がカミソリヘッド４の揺動軸線となる。カミソリヘッド４をホルダ−１に結合するときは、可撓性ア−ム３，３をやや外側に開いて行う。
【００１４】
カミソリヘッド４がホルダ−１に結合されると、弾性片７，７がカミソリヘッド４の揺動軸線よりも後方の底面に斜めに当って、これを弾性的に押圧してカミソリヘッド４が前傾する方向に揺動させる。弾性片７，７が押圧する場所はカミソリヘッドの底面に限定されるものではない。カミソリヘッドの底面はすべてが一平面ではなく、種々の凹部が形成されている。したがって、凹部が四角形の場合、その凹部内の平面部でなく凹部を囲う４つの周壁の中の後方の周壁内面に弾性片７，７の背面が圧接するような構成にしても差し支えない。
【００１５】
ア−ム３，３の前面には突起状ストッパ−６，６が一体に設けられている。ホルダ−１に結合されたカミソリヘッド４の底面がストッパ−６，６に当ることにより、カミソリヘッド４の前傾する方向への揺動が規制される。揺動が規制されている状態で、カミソリヘッド４は弾性片７によって前傾する方向へ弾性的な揺動力が加えられている。この状態が、使用前の状態である。したがって、使用時にその状態からカミソリヘッド４がさらに前傾する方向に揺動することはなく、後傾方向に揺動するだけである。
【図面の簡単な説明】
【図１】  本発明の使用状態を示す一部側面図
【図２】  本発明のホルダ−の一部背面図
【図３】  本発明のホルダ−の一部側面図
【符号の説明】
１  ホルダ−
２  頭部
３  ア−ム
４  カミソリヘッド
５  ジャ−ナル軸
６  ストッパ−
７  弾性片
【図１】
0004874467.tif 000002
【図２】
0004874467.tif 000003
【図３】
0004874467.tif 000004